(57)【要約】【課題】  車椅子に着座した状態のように、視線が低い操作者の場合は、原稿台上や自動原稿送り装置を視認することが難しく、原稿の載置作業が困難である。【解決手段】  画像形成装置１の上端部に、カメラ６０と表示部５０を有するＵＩ部を設ける。カメラ６０により原稿台２０上面の原稿９０の載置状態を撮影し、表示部５０にその映像を表示する。または、原稿押さえ板７０の下面に鏡面を備え、反射像によって原稿の載置状態を確認することができるようにする。これにより、視線が低く、原稿台２０上を視認できない操作者の場合でも、原稿９０の載置状態を確認し、所定位置に原稿９０を容易に載置することができる。【選択図】      図１
2006074216.tif 000002
【特許請求の範囲】
【請求項１】
原稿台のプラテンガラスに載置された原稿の画像を読み取って画像データを生成する画像形成装置において、
前記原稿台を撮影する一つまたは複数の撮影手段と、
映像を表示する表示部と、
前記撮影手段により撮影した映像を前記表示部に表示する表示制御手段と
を備えることを特徴とする画像形成装置。
【請求項２】
原稿台のプラテンガラスに載置された原稿の画像を読み取って画像データを生成する画像形成装置において、
セット位置に載置された原稿を前記原稿台の画像読み取り位置に搬送する自動原稿送り装置と、
前記自動原稿送り装置のセット位置を撮影する一つまたは複数の撮影手段と、
映像を表示する表示部と、
前記撮影手段により撮影した映像を前記表示部に表示する表示制御手段と
を備えることを特徴とする画像形成装置。
【請求項３】
請求項１または請求項２記載の画像形成装置について、
前記表示制御手段は、前記撮影手段により撮影した映像に対し回転または反転の少なくともいずれか一方の処理をして前記表示部に出力する
ことを特徴とする画像形成装置。
【請求項４】
請求項１記載の画像形成装置について、
前記原稿台に対して開閉自在であり、前記原稿台に原稿を押さえつける原稿押さえ部を有し、
前記表示制御手段は、前記原稿押さえ部が開いた時に表示開始し、前記原稿押さえ部が閉じた時または複写開始時に表示終了する
ことを特徴とする画像形成装置。
【請求項５】
請求項１または請求項２記載の画像形成装置において、
前記表示制御手段は、前記撮影手段を選択する選択手段
を有していることを特徴とする画像形成装置。
【請求項６】
請求項１または請求項２記載の画像形成装置において、
上記撮影手段により撮影する映像を拡大または縮小の少なくともいずれか一方のズーム処理を行うズーム手段
を備えることを特徴とする画像形成装置。
【請求項７】
原稿を載置する原稿読み取り面にプラテンガラスを備える原稿台と、
前記原稿台に対して開閉自在であり、前記プラテンガラスに原稿を押さえつける原稿押さえ部と、
前記原稿押さえ部の、前記プラテンガラスと接する側の面の前記プラテンガラスを覆う領域を除いた部分に設置された鏡面と
を備え、
前記鏡面は、前記原稿押さえ部が開いた時に、前記鏡面の反射によって前記原稿台上の原稿の載置状態が前記原稿台の斜め下方から見える位置に取り付けられている
ことを特徴とする画像形成装置。
【請求項８】
原稿を載置する原稿読み取り面にプラテンガラスを備える原稿台と、
前記原稿台に対して開閉自在であり、前記プラテンガラスに原稿を押さえつける原稿押さえ部と、
前記原稿台押さえ部の下面に設けられ、前記プラテンガラス側を鏡面とする状態と非鏡面とする状態に切り替えられる鏡面切替手段と
を備え、
前記鏡面切替手段が鏡面に切り替えられた状態においては、前記原稿押さえ部が開いた時に、前記鏡面の反射によって前記原稿台上の原稿の載置状態が前記原稿台の斜め下方から見えるように構成されている
ことを特徴とする画像形成装置。
【請求項９】
請求項７または請求項８記載の画像形成装置において、
前記鏡面は、角度を変更することができる
ことを特徴とする画像形成装置。
【発明の詳細な説明】
【技術分野】
【０００１】
本発明は、電子写真複写機，ファクシミリ等の画像形成装置に関し、特に操作者が車椅子に着座した状態でも原稿を適切な位置に容易に載置することを可能とした画像形成装置に関する。
【背景技術】
【０００２】
一般に、複写機，ファクシミリ等の画像形成装置においては、原稿を載置する原稿台の高さは、人の平均的な身長を考慮して床面から約１０００ｍｍ程度となっている。この場合、例えば、車椅子に着座した状態の操作者が、原稿を原稿台に載置したり、原稿の載置状態を確認したりするには原稿台が高すぎるので、車椅子から身を乗り出す必要があり、その困難な動作が強いられる。
【０００３】
上記のような課題を解決するために、次のような画像形成装置が提案されている。特許文献１に記載の画像形成装置は、画像形成装置本体を所望の位置まで容易に昇降することができる昇降装置を備え、画像形成装置を使い易い位置に昇降させることにより、健常者だけでなく、車椅子に着座した状態の操作者も、容易に原稿を載置することができる。
【０００４】
次に、特許文献２に記載の画像形成装置は、原稿台と本体が別体になっていて、原稿台が本体の上部に設置されている。そして、原稿台を本体と並ぶように、斜め下方向に移動させて、その位置を低くすることにより、車椅子に着座した状態の操作者も、容易に原稿を載置することができる。
【０００５】
【特許文献１】特開平７−３３４０６４号公報
【特許文献２】特開２００２−１４２０５２号公報
【発明の開示】
【発明が解決しようとする課題】
【０００６】
しかしながら、上記従来技術には次のような問題点がある。上記特許文献１に係る画像形成装置は、形状や重量が大きい画像形成装置本体を昇降させる昇降装置を備えなければならず、装置が複雑化，大型化するとともに、価格が高くなるという問題がある。また、一台の画像形成装置を使用する操作者が複数いる場合、自分に適した高さにするために、使用する度に画像形成装置を昇降させるのは、各々の操作者にとって煩わしい作業となる。上記特許文献２に係る画像形成装置に関しても、特許文献１と同様、原稿台を昇降させる昇降装置を備えなければならず、装置の大型化、複雑化を招き価格が高くなるという問題がある。また、原稿台を斜め下方に移動させるための空間が必要になり、より広いスペースが必要となる。
【課題を解決するための手段】
【０００７】
そこで、本発明の目的は、上述した従来の問題に鑑み、例えば、車椅子に着座した状態のように、視線が低い操作者でも、容易に適切な位置に原稿を載置できる画像形成装置を提供することにある。
【０００８】
上記課題を解決するため、本発明は、原稿台のプラテンガラスに載置された原稿の画像を読み取って画像データを生成する画像形成装置において、前記原稿台を撮影する一つまたは複数の撮影手段と、映像を表示する表示部と、前記撮影手段により撮影した映像を前記表示部に表示する表示制御手段とを備えることを特徴とする画像形成装置を提供する。
【０００９】
また、本発明の好ましい様態においては、前記原稿台に対して開閉自在であり、前記原稿台に原稿を押さえつける原稿押さえ部を有し、前記表示制御手段は、前記原稿押さえ部が開いた時に表示開始し、前記原稿押さえ部が閉じた時または複写開始時に表示終了する。
【００１０】
また、本発明は、原稿台のプラテンガラスに載置された原稿の画像を読み取って画像データを生成する画像形成装置において、セット位置に載置された原稿を前記原稿台の画像読み取り位置に搬送する自動原稿送り装置と、前記自動原稿送り装置のセット位置を撮影する一つまたは複数の撮影手段と、映像を表示する表示部と、前記撮影手段により撮影した映像を前記表示部に表示する表示制御手段とを備えることを特徴とする画像形成装置を提供する。
【００１１】
また、本発明の好ましい様態においては、前記表示制御手段は、前記撮影手段により撮影した映像に対し回転または反転の少なくともいずれか一方の処理をして前記表示部に出力する。
【００１２】
また、別の好ましい様態においては、前記表示制御手段は、前記撮影手段を選択する選択手段を有している。
【００１３】
また、別の好ましい様態においては、上記撮影手段により撮影する映像を拡大または縮小の少なくともいずれか一方のズーム処理を行うズーム手段を備える。
【００１４】
また、本発明は、原稿を載置する原稿読み取り面にプラテンガラスを備える原稿台と、前記原稿台に対して開閉自在であり、前記プラテンガラスに原稿を押さえつける原稿押さえ部と、前記原稿押さえ部の、前記プラテンガラスと接する側の面の前記プラテンガラスを覆う領域を除いた部分に設置された鏡面とを備え、前記鏡面は、前記原稿押さえ部が開いた時に、前記鏡面の反射によって前記原稿台上の原稿の載置状態が前記原稿台の斜め下方から見える位置に取り付けられていることを特徴とする画像形成装置を提供する。
【００１５】
また、本発明は、原稿を載置する原稿読み取り面にプラテンガラスを備える原稿台と、前記原稿台に対して開閉自在であり、前記プラテンガラスに原稿を押さえつける原稿押さえ部と、前記原稿台押さえ部の下面に設けられ、前記プラテンガラス側を鏡面とする状態と非鏡面とする状態に切り替えられる鏡面切替手段とを備え、前記鏡面切替手段が鏡面に切り替えられた状態においては、前記原稿押さえ部が開いた時に、前記鏡面の反射によって前記原稿台上の原稿の載置状態が前記原稿台の斜め下方から見えるように構成されていることを特徴とする画像形成装置を提供する。
【００１６】
また、本発明の好ましい態様においては、前記鏡面は、角度を変更することができる。
【発明の効果】
【００１７】
以上のように本発明によれば、健常者のみでなく車椅子使用者などの健常者に比して視線が低いところにある操作者にとっても、車椅子等から身を乗り出すことなく、原稿台上の原稿載置位置を確認することができ、所定位置に容易に原稿を載置することができる。
【発明を実施するための最良の形態】
【００１８】
以下、本発明の実施形態について説明する。
図１は、本発明の第１の実施形態である画像形成装置１０の外観を示す斜視図である。図１においては、図面手前側に操作者が位置して、画像形成装置１０を操作する（矢印参照）。
【００１９】
図１に示す画像形成装置１０は、原稿９０の画像を光学的に読み取って処理を行うものであり、同図に示すように、原稿９０を載置するプラテンガラス２１を設けた原稿台２０と、原稿台２０に対して開閉自在に設けられている原稿押さえ板７０を備えている。図示のように、プラテンガラス２１は、原稿台２０の上面中央部に設けられている。
原稿台２０の上部には、原稿押さえ板７０の開閉状態を検知するための検知手段をなすスイッチ２５が配置されている。このスイッチ２５は、押さえ板７０が閉じられると、その旨の信号を出力する。
【００２０】
また、画像形成装置１０の上端部には、ＵＩ部４０が設けられており、このＵＩ部４０には、カメラ６０，カメラ６１，表示部５０が設けられている。カメラ６０，カメラ６１は、レンズ，ＣＣＤ（Charge Coupled Device）等の撮像素子，Ａ／Ｄ変換器，画像処理回路を有している。被写体の像はレンズを介して光学像に変換されて撮像素子面上に結像され、撮像素子は、光学像の光の強弱を電荷量に変換する。カメラ６０は、プラテンガラス２１上面の、Ａ４サイズの原稿の載置範囲を撮影する向きと角度で設置されており、カメラ６１は、プラテンガラス２１上面の、Ａ３サイズの原稿の載置範囲を撮影する向きと角度で設置されている。また、カメラ６０，カメラ６１は、撮影する映像を拡大または縮小するデジタルズーム機能を有している。表示部５０は、カメラ６０またはカメラ６１で撮影した映像を表示するためのものであり、液晶表示パネルで構成されている。
【００２１】
操作入力部３０は、操作者が手動によって操作する各種のキーを有する。これらのキーには、複写の開始を指示する複写開始キー３１，カメラ６０とカメラ６１のＯＮ／ＯＦＦを切り替えるカメラ切替キー３２，カメラ６０及びカメラ６１が撮影する映像を拡大するズーム拡大キー３３，カメラ６０及びカメラ６１が撮影する映像を縮小するズーム縮小キー３４が含まれる。カメラ切替キー３２は、押下される毎に、表示部５０に表示する映像をＯＦＦ→カメラ６０→カメラ６１→ＯＦＦの順に切り替えるようになっている。ズーム拡大キー３３は、押下される毎に、カメラ６０またはカメラ６１が撮影する映像を拡大し、ズーム縮小キー３４は、押下される毎に、カメラ６０またはカメラ６１が撮影する映像を縮小する。
【００２２】
次に図２は、画像形成装置１０の構成を示すブロック図である。制御部８０は、ＣＰＵ，このＣＰＵで用いられるプログラムを記録したメモリ，その他各種インターフェースを有し、画像形成装置１０の各部を制御するものである。前述したカメラ６０，６１の撮像素子から出力されるアナログビデオ信号は、Ａ／Ｄ変換器でデジタルビデオ信号の画像データに変換され、制御部８０の制御の下に表示部５０に表示される。
【００２３】
ここで、制御部８０におけるカメラ６０とカメラ６１に関する制御内容を説明する。操作者が原稿押さえ板７０を開けると、スイッチ２５は、原稿押さえ板７０が開いている旨の信号を制御部８０に送信する。この信号を受信すると、制御部８０は、カメラ６０（またはカメラ６１）の撮影を開始させる。カメラ６０（またはカメラ６１）は、撮影した画像データを制御部８０に送信する。制御部８０は、カメラ６０（またはカメラ６１）から受信した画像データを表示部５０に送信する。操作者が原稿押さえ板７０を閉じると、スイッチ２５は、原稿押さえ板７０が閉じている旨の信号を制御部８０に送信する。この信号を受信すると、制御部８０は、カメラ６０（またはカメラ６１）の撮影を停止させるとともに、表示部５０への画像データの送信を停止する。
【００２４】
以下、本実施形態である画像形成装置１０の動作について説明する。ここでは、Ａ４サイズの原稿を載置する場合を説明する。
まず、操作者は、カメラ切替キー３２を操作し、カメラ６０を選択する。そして、操作者が原稿を原稿台２０に載置するために原稿押さえ板７０を開けると、スイッチ２５はその旨の信号を制御部８０に送信する。制御部８０は、スイッチ２５からの信号を受信し、カメラ６０の撮影を開始させる。カメラ６０は、画像データを制御部８０に送信する。制御部８０は、受信した画像データを表示部５０に送信し、表示部５０は、受信した映像データを液晶表示パネルに出力する。
【００２５】
操作者がズーム拡大キー３３またはズーム縮小キー３４を押下すると、制御部８０は、入力された情報に基づいてカメラ６０のズームを変更し、これにより、表示部５０に表示されている像の撮影範囲が変化する。操作者は、ズーム拡大キー３３またはズーム縮小キー３４の操作によって、原稿台２０上の原稿の載置状態をカメラ６０が適切にとらえるようにする。
【００２６】
以上の処理により、車椅子に着座した状態のように、視線が低く、原稿台２０上の原稿の載置状態を直接確認できないような操作者の場合であっても、表示部５０に表示される映像を見ることによって、原稿の載置状態を確認し、映像を見ながら正しい載置位置に原稿を載置することが可能になる。
【００２７】
そして、操作者は、原稿を正しい位置に載置すると、原稿押さえ板７０を閉じる。原稿押さえ板７０が閉じられると、スイッチ２５は、原稿押さえ板７０が閉じている旨の信号を制御部８０に送信する。この信号により、制御部８０は、カメラ６０の撮影を停止させるとともに、表示部５０への画像データの送信も停止する。
【００２８】
すなわち、操作者が原稿台２０に原稿を載置している間のみ表示部５０に映像が表示されることになる。このように、必要な場合のみ映像を表示し、それ以外の場合はカメラ６０の撮影及び表示部５０の表示を行わないことにより、画像形成装置１０の無駄な電力消費を防ぐことができる。
【００２９】
なお、上記の実施形態では、カメラ６０，カメラ６１によって原稿台２０の撮影範囲を切り替えたが、１つのカメラのズーム機能によって撮影範囲を切り替えることも可能である。具体的には、撮影範囲を、原稿台２０全体，Ａ４サイズの載置範囲，Ａ３サイズの載置範囲の３パターンで切り替えることが可能な位置に、カメラ６０をＵＩ部４０に設置する。
【００３０】
また、上記の実施形態では、原稿台２０の原稿の載置状態を撮影するための撮影手段として、カメラ６０，カメラ６１を設けたが、撮影手段として、原稿読取用のイメージセンサを使用することも可能である。この場合、操作者が原稿を原稿台２０に載置し、原稿押さえ板７０を閉じると、原稿読取用イメージセンサは、原稿台２０上の原稿及び原稿載置状態を読み取り、読み取った画像を制御部８０に送信する。制御部８０は、受信した画像を表示部５０に送信し、表示部５０は受信した画像を表示する。操作者は、表示部５０に表示された画像によって、原稿の載置状態を確認することができ、正しく載置されていない場合は載置しなおすことが可能となる。
【００３１】
また、上記以外の撮影手段として、図３に示すように、原稿台２０の下部に、原稿台２０上の原稿９０の載置状態を撮影するカメラ６３を設け、撮影した映像を表示部５０に表示することも可能である。
【００３２】
なお、上記の実施形態では、ＵＩ部４０が画像形成装置１０に設置されているものを想定したが、画像形成装置１０とＵＩ部４０が切り離されていてもよい。また、ＵＩ部４０を独立して設けず、画像形成装置１０に、複数のカメラ及び表示部５０を設けることも可能である。
【００３３】
また、上記実施形態では、カメラ６０，カメラ６１で撮影した画像データをそのまま表示部５０に送信したが、カメラ６０，６１の撮影位置や操作者に対する表示部５０の向きによっては、表示部５０に写る画像が、原稿台２０を直接のぞき込んだ場合に対して上下が反転したり、左右が逆転する場合がある。例えば、図１に示す状態においては上下が反転している。そこで、制御部８０に下記のような機能を設けることも可能である。すなわち、図４に示すように、制御部８０は、画像データを受信すると、元の画像データを１８０度回転した画像データを作成し、表示部５０に送信する。これにより、表示部５０は、カメラ６０またはカメラ６１が撮影した映像をそのまま表示するのではなく、操作者があたかも原稿台２０を覗き込んだようにみえる映像を表示することができ、操作者は、よりスムーズに載置作業を行うことができる。
【００３４】
また、制御部８０の処理は、１８０度回転だけでなく、設置状況に応じて、例えば、９０度、１８０度、２７０度など適切な画像の回転処理を行うように設定すればよく、さらに、回転度合いを選択できるようにしてもよい。また、左右の反転を行うように設定することも勿論可能である。
【００３５】
次に、本発明の第２の実施形態について説明する。
図５は、本発明の第２の実施形態である画像形成装置１１の正面図である。本実施形態が図１に示す実施形態と異なっているのは、原稿押さえ板７０に代わって自動原稿送り装置１００が設けられている点と、カメラ６０に代わってカメラ６２が設けられている点であり、他の部分については同一の構成である。
【００３６】
自動原稿送り装置１００は、セット位置１００ａに載置された原稿を一枚ずつ送り出して画像読取位置へと搬送し、画像読取が終わった原稿を所定の場所に排紙処理するものである。この自動原稿送り装置１００は、原稿台２０に対して開閉自在に設けられており、図１の原稿押さえ板７０と同様の働きを担っている。
【００３７】
カメラ６２は、自動原稿送り装置１００のセット位置１００ａにおける原稿のセット状態を撮影する向きと角度で設置されている。また、カメラ切替キー３２は、表示部５０に表示する映像を、ＯＦＦ→カメラ６２→カメラ６１→ＯＦＦの順に切り替えるようになっている。
【００３８】
以下、本実施形態である画像形成装置１１の動作について説明する。この動作の前提として、カメラ６１，カメラ６２共にＯＦＦになっているものとする。操作者がカメラ切替キー３２を押下すると、制御部８０は、カメラ６２の撮影を開始させる。そして、カメラ６２から受信した画像データを表示部５０に送信する。表示部５０は、受信した画像データを表示する。
【００３９】
これにより、表示部５０には自動原稿送り装置１００のセット位置１００ａ付近の画像が表示されるから、車椅子等に着座した状態で、視線が低い操作者の場合でも、操作者は、表示部５０に表示される映像を確認しながら、自動原稿送り装置１００に正しく原稿をセットすることができる。
【００４０】
操作者が自動原稿送り装置１００のセット位置１００ａに原稿を載置し、原稿送りが開始されると、制御部８０はカメラ６２をＯＦＦし、表示部５０への表示も停止させる。
【００４１】
次に、本発明の第３の実施形態について説明する。
図６は、本発明の第３の実施形態である画像形成装置１５を示す図であり、左図は画像形成装置１５の縦断面図、右図は斜視図である。なお、第１の実施形態と共通する部分には、同一の符号を付けてその説明を省略する。
画像形成装置１５は、原稿９０を載置する原稿台２０と、原稿台２０に対して開閉自在に設けられている原稿押さえ板７０を有している。原稿台２０は、原稿９０を載置する面にプラテンガラス２１が設けられている。原稿押さえ板７０は、プラテンガラス２１とその周辺部を覆うように寸法が設定されており、下面のプラテンガラス２１と接する部分７０ａには、プラテンガラス２１を保護するために緩衝材が貼り付けられている。そして、この原稿押さえ板７０の下面の、緩衝材が貼り付けられていない部分７０ｂに鏡７１が取り付けられている。これは、プラテンガラス２１と接する部分７０ａの全体又は一部に鏡７１を取り付けると、原稿押さえ板７０を閉じて原稿９０を読み取る際に、原稿読取用イメージセンサの反射光が鏡７１に反射し、原稿読取用イメージセンサが正常に原稿９０を読み取ることができないからである。７０ｂに鏡７１を取り付けると、複写の際に反射光が鏡７０に反射することがなく、原稿読取に支障を来さない。
【００４２】
原稿押さえ板７０を開くと、操作者は、図示のように、鏡７１の反射を介して原稿９０の載置状態を視認することができるようになっている。また、鏡７１は、角度を変更することが可能となっており、操作者は、自己の視線の高さに対応させて鏡７１の角度を調節することができ、これにより、原稿９０の載置状態を鏡７１の反射を介して見ることができる。
【００４３】
これにより、車椅子に着座した状態のように、視線が低く、原稿台２０上の原稿９０の載置状態を直接確認できないような操作者の場合であっても、鏡７１の反射を介して、原稿９０の載置状態を確認することができ、正しい載置位置に原稿９０を載置することができる。
【００４４】
なお、上記の実施形態では、操作者が角度を自在に変更できる鏡７１を設けたが、これ以外にも、原稿押さえ板７０の開角度によって、鏡７１の角度が自動的に変わるような機構を備えることも可能である。
【００４５】
次に、本発明の第４の実施形態について説明する。
図７は、本発明の第４の実施形態である画像形成装置１２の縦断面図である。なお、この図に示す部分以外は第１の実施形態と共通する部分であり、記述を省略する。図７において、原稿押さえ板７０を閉じた状態が左図、原稿押さえ板７０を開いた状態が右図である。図示のように、原稿押さえ板７０のプラテンガラス２１と接する側の面全体に、鏡７１が設置されている。鏡面カバー７２は、鏡７１をカバーするように設けられていて、本体側にスライドするようになっている。
鏡面カバー７２は、駆動モータ（図示略）の駆動力が伝達されるようになっており、これにより、本体側への収納位置と鏡７１を覆う位置との間の移動が自動的に行われるようになっている。そして、原稿押さえ板７０が閉じている場合は、図７の左図のように、鏡７１を鏡面カバー７２が覆い、複写処理に支障を来さないようになっている。原稿押さえ板７０を開くと、図７の右図のように、鏡面カバー７２はスライドして画像形成装置１２本体側に収納され、鏡７１が露出する仕組みとなっている。操作者は、この鏡７１の反射を介してプラテンガラス２１上の原稿９０の載置状態を確認することができる。
【００４６】
この画像形成装置１２では、原稿押さえ板７０の下面全体に鏡７１を設置することにより、広い範囲を視認することができ、原稿全体の載置状態を見ることができる。そして、適切な位置に原稿を載置することができる。また、原稿押さえ板７０を閉じた場合には、鏡面カバー７２が元の位置にスライドして鏡面を隠すため、原稿読取の反射光が鏡７１に反射することがなく、複写作業に支障を来さない。
【００４７】
なお、上記の実施形態では、原稿押さえ板７０のプラテンガラス２１と接する側の面全体に鏡７１を設置したが、原稿押さえ板７０の下面の一部に鏡７１と鏡面カバー７２を設けることも可能である。
【００４８】
次に、本発明の第５の実施形態について説明する。図８は、本発明の第５の実施形態である画像形成装置１３の縦断面図である。なお、この図に示す部分以外は第１の実施形態と共通するため、その記述を省略する。図８において、原稿押さえ板７０を閉じた状態が左図、原稿押さえ板７０を開いた状態が右図である。ローラ７５は、原稿押さえ板７０に設けられており、鏡７１と鏡面カバー７３を備えている。ローラ７５が回転することにより、プラテンガラス２１に接する面を、鏡７１の面と鏡面カバー７３の面に切り替える仕組みになっている。
【００４９】
原稿押さえ板７０が開かれると、スイッチ２５はその旨の信号を制御部８０に送信する。制御部８０は、スイッチ２５から信号により、ローラ７５を回転させる。これにより、鏡７１が露出する。原稿押さえ板７０が閉じられると、ローラ７５が回転して鏡７１が隠れる。
【００５０】
これにより、車椅子に着座した状態のように、視線が低く、原稿台２０上の原稿の載置状態を直接確認できないような操作者の場合であっても、鏡７１の反射を介して、原稿全体の載置状態を視認することができ、適切な位置に原稿を載置することができる。また、原稿押さえ板７０を閉じた場合には、鏡面が隠れるため、原稿読取の反射光が鏡７０に反射することがなく、複写作業に支障を来さない。
【００５１】
なお、鏡７１と鏡面カバー７３は、原稿押さえ板７０の全面であってもよく、また、原稿押さえ板の下面の一部であってもよい。
【００５２】
次に、本発明の第６の実施形態について説明する。
図９は、本発明の第６の実施形態である画像形成装置１４の縦断面図である。なお、この図に示す部分以外は第１の実施形態と共通するため、その記述を省略する。図９において、原稿押さえ板７０を閉じた状態が左図、原稿押さえ板７０を開いた状態が右図である。原稿押さえ板７０には、鏡７１が設けられており、鏡７１の表面を覆うかたちで鏡面カバー７４が設けられている。鏡面カバー７４は、電圧が印加されていない状態では光を遮蔽し、電圧を印加すると光を透過する調光フィルムで造られている。
【００５３】
原稿押さえ板７０が開かれると、スイッチ２５は、その旨の信号を制御部８０に送信する。制御部８０はその信号により、鏡面カバー７４に電圧を印加する。鏡面カバー７４は、電圧が印加されたことにより、光を透過し、鏡面カバー７４は透明に見える。これにより、その下の鏡７１が見え、操作者は原稿台２０上の原稿の載置状態を、鏡７１の反射を介して視認することができる。
また、原稿押さえ板７０が閉じられると、スイッチ２５は、その旨の信号を制御部８０に送信する。制御部８０はその信号により、鏡面カバー７４への電圧の印加を停止する。これにより、鏡面カバー７４は光を遮蔽し、鏡面は隠れる。そのため、原稿読取の反射光が鏡７１に反射することがなく、複写作業に支障を来さない。
【００５４】
次に、本発明の第７の実施形態について説明する。
図１０は、本発明の第１０の実施形態である画像形成装置１６の縦断面図である。なお、この図に示す部分以外は第１の実施形態と共通するため、その記述を省略する。図１０において、原稿押さえ板７０を閉じた状態が左図、原稿押さえ板７０を開いた状態が右図である。原稿押さえ板７０には、調光ミラー薄膜材料を用いた調光ミラーガラス７６が設けられている。調光ミラー薄膜材料は、電圧を操作することによって、光学的な性質を、透明な状態と鏡の状態に自由にコントロールすることのできる薄膜素材である。
【００５５】
原稿押さえ板７０が開かれると、スイッチ２５はその旨の信号を制御部８０に送信する。制御部８０はスイッチ２５からの信号により、調光ミラーガラス７６の電圧を操作し、調光ミラーガラス７６を鏡の状態にする。
この結果、車椅子に着座した状態のように、視線が低く、原稿台２０上の原稿９０の載置状態を直接確認できないような操作者の場合であっても、調光ミラーガラス７６の反射を介して、原稿全体の載置状態を視認することができ、適切な位置に原稿を載置することができる。
【００５６】
また、原稿押さえ板７０が閉じられると、スイッチ２５はその旨の信号を制御部８０に送信し、制御部８０は調光ミラーガラス７６の電圧を操作し、調光ミラーガラスを透明な状態にする。これにより、原稿読取の反射光が鏡面に反射することがなく、複写作業に支障を来さない。
【図面の簡単な説明】
【００５７】
【図１】本発明の第１の実施形態に係る画像形成装置の外観を示す斜視図である。
【図２】同画像形成装置の構成を示すブロック図である。
【図３】同画像形成装置の縦断面図である。
【図４】同画像形成装置の表示部を示す図である。
【図５】本発明の第２の実施形態に係る画像形成装置の正面図である。
【図６】本発明の第３の実施形態に係る画像形成装置を示す図である。
【図７】本発明の第４の実施形態に係る画像形成装置の縦断面図である。
【図８】本発明の第５の実施形態に係る画像形成装置の縦断面図である。
【図９】本発明の第６の実施形態に係る画像形成装置の縦断面図である。
【図１０】本発明の第７の実施形態である画像形成装置の縦断面図である。
【符号の説明】
【００５８】
１０，１１，１２，１３，１４，１５，１６…画像形成装置、２０…原稿台、２１…プラテンガラス、２５…スイッチ、３０…操作入力部、４０…ＵＩ部、５０…表示部、６０、６１、６３…原稿台撮影用カメラ、６２…自動原稿送り装置撮影用カメラ、７０…原稿押さえ板、７１…鏡、７２，７３，７４…鏡面カバー、７５…ローラ、７６…調光ミラーガラス、８０…制御部、９０…原稿、１００…自動原稿送り装置。
【図１】
2006074216.tif 000003
【図２】
2006074216.tif 000004
【図３】
2006074216.tif 000005
【図４】
2006074216.tif 000006
【図５】
2006074216.tif 000007
【図６】
2006074216.tif 000008
【図７】
2006074216.tif 000009
【図８】
2006074216.tif 000010
【図９】
2006074216.tif 000011
【図１０】
2006074216.tif 000012